(57)【要約】【課題】この発明は、画像形成装置にネットワークを介して接続されたＰＣから、メッセージ情報を画像形成装置に与えることにより、そのメッセージ情報を画像形成装置の表示器に表示させることができるようになる画像形成装置を提供することを目的とする。【解決手段】各種設定画面を表示するための表示器を備えかつネットワークを介してＰＣが接続されている画像形成装置において、ＰＣからメッセージ情報を受信してメッセージ情報記憶部に記憶する手段、ならびにメッセージ情報記憶部にメッセージ情報が記憶されている場合には、メッセージ情報記憶部に記憶されているメッセージ情報を、表示器の表示領域のうち、設定画面画像が常に表示されない領域に表示させる手段を備えている。【選択図】  図１
2004345161.tif 000002
【特許請求の範囲】
【請求項１】
各種設定画面を表示するための表示器を備えかつネットワークを介してＰＣが接続されている画像形成装置において、
ＰＣからメッセージ情報を受信してメッセージ情報記憶部に記憶する手段、ならびに
メッセージ情報記憶部にメッセージ情報が記憶されている場合には、メッセージ情報記憶部に記憶されているメッセージ情報を、表示器の表示領域のうち、設定画面画像が常に表示されない領域に表示させる手段、
を備えていることを特徴とする画像形成装置。
【請求項２】
各種設定画面を表示するための表示器を備えかつネットワークを介してＰＣが接続されている画像形成装置において、
表示器の表示領域内には、メッセージ表示領域として、設定画面画像が常に表示されない第１メッセージ表示領域と、設定画面によって設定画面画像が表示される場合と表示されない場合とがある第２メッセージ表示領域とが設定されており、
ＰＣから、メッセージ情報とともに、そのメッセージ情報を第１メッセージ表示領域および第２メッセージ表示領域のいずれに表示させるかを指定するための表示領域識別情報を受信し、受信した表示領域識別情報が第１メッセージ表示領域を指定するものである場合には、受信したメッセージ情報を第１のメッセージ情報記憶部に記憶させ、受信した表示領域識別情報が第２メッセージ表示領域を指定するものである場合には、受信したメッセージ情報を第２のメッセージ情報記憶部に記憶させる手段、
第１のメッセージ情報記憶部にメッセージ情報が記憶されている場合には、第１のメッセージ情報記憶部に記憶されているメッセージ情報を、表示器の第１メッセージ表示領域に表示させる手段、ならびに
第２のメッセージ情報記憶部にメッセージ情報が記憶されている場合には、第２メッセージ表示領域に設定画面画像が表示されていないか否かを判別し、第２メッセージ表示領域に設定画面画像が表示されていないときにのみ、第２のメッセージ情報記憶部に記憶されているメッセージ情報を、表示器の第２メッセージ表示領域に表示させる手段、
を備えていることを特徴とする画像形成装置。
【発明の詳細な説明】
【０００１】
【産業上の利用分野】
この発明は、複写機、ファクシミリ装置、複写機能、ファクシミリ機能等を備えた複合機等の、画像形成装置に関する。
【０００２】
【従来の技術】
複写機、ファクシミリ装置等の画像形成装置の操作パネルには、通常、各種の設定画面を表示するための液晶表示器が設けられている。このような画像形成装置に、外部のＰＣからメッセージ情報を与え、与えたメッセージ情報を表示器に表示させることができれば、その画像形成装置の利用者にメッセージを提供することができ、便利である。
【０００３】
【発明が解決しようとする課題】
この発明は、画像形成装置にネットワークを介して接続されたＰＣから、メッセージ情報を画像形成装置に与えることにより、そのメッセージ情報を画像形成装置の表示器に表示させることができるようになる画像形成装置を提供することを目的とする。
【０００４】
【課題を解決するための手段】
請求項１に記載の発明は、各種設定画面を表示するための表示器を備えかつネットワークを介してＰＣが接続されている画像形成装置において、ＰＣからメッセージ情報を受信してメッセージ情報記憶部に記憶する手段、ならびにメッセージ情報記憶部にメッセージ情報が記憶されている場合には、メッセージ情報記憶部に記憶されているメッセージ情報を、表示器の表示領域のうち、設定画面画像が常に表示されない領域に表示させる手段を備えていることを特徴とする。
【０００５】
請求項２に記載の発明は、各種設定画面を表示するための表示器を備えかつネットワークを介してＰＣが接続されている画像形成装置において、表示器の表示領域内には、メッセージ表示領域として、設定画面画像が常に表示されない第１メッセージ表示領域と、設定画面によって設定画面画像が表示される場合と表示されない場合とがある第２メッセージ表示領域とが設定されており、ＰＣから、メッセージ情報とともに、そのメッセージ情報を第１メッセージ表示領域および第２メッセージ表示領域のいずれに表示させるかを指定するための表示領域識別情報を受信し、受信した表示領域識別情報が第１メッセージ表示領域を指定するものである場合には、受信したメッセージ情報を第１のメッセージ情報記憶部に記憶させ、受信した表示領域識別情報が第２メッセージ表示領域を指定するものである場合には、受信したメッセージ情報を第２のメッセージ情報記憶部に記憶させる手段、第１のメッセージ情報記憶部にメッセージ情報が記憶されている場合には、第１のメッセージ情報記憶部に記憶されているメッセージ情報を、表示器の第１メッセージ表示領域に表示させる手段、ならびに第２のメッセージ情報記憶部にメッセージ情報が記憶されている場合には、第２メッセージ表示領域に設定画面画像が表示されていないか否かを判別し、第２メッセージ表示領域に設定画面画像が表示されていないときにのみ、第２のメッセージ情報記憶部に記憶されているメッセージ情報を、表示器の第２メッセージ表示領域に表示させる手段を備えていることを特徴とする。
【０００６】
【発明の実施の形態】
以下、図面を参照して、この発明を複写機に適用した場合の実施の形態について説明する。
【０００７】
図１は、複写機と複写機にＬＡＮを介して接続されたＰＣとを示している。
【０００８】
複写機１は、画像読取部１１、画像形成部１２、操作部１３、通信制御部１４、制御部１５、メモリ１６を備えている。通信制御部１４は、ＬＡＮインタフェース１７を介してＬＡＮ３に接続されている。
【０００９】
操作部１３は、各種設定画面を表示するためのタッチパネル付き表示器１３ａおよび各種の操作キーを含んでいる。メモリ１６内には、第１のメッセージ情報格納領域１６ａ、第２のメッセージ情報格納領域１６ｂ等が設けられている。
【００１０】
ＰＣ２には、メッセージデータを作成して複写機１に送信するためのメッセージ情報作成／送信プログラムが搭載されている。
【００１１】
図２は、タッチパネル付き表示器１３ａに表示される設定画面のうちの基本画面の例を示している。
【００１２】
図２において、点線Ａで囲まれた領域は、第１のメッセージ表示領域を示しており、点線Ｂで囲まれた領域は、第２のメッセージ表示領域を示している。第１のメッセージ表示領域Ａは、設定画面画像が常に表示されない領域である。第２のメッセージ表示領域は、設定画面によっては、設定画面画像が表示される可能性がある領域である。
【００１３】
この画像形成装置では、ＰＣ２から送られてきたメッセージ情報をメモリ１６に格納するとともに、格納したメッセージ情報をそれに付随して送られてきた表示領域識別情報に応じて、第１のメッセージ表示領域Ａまたは第２のメッセージ表示領域Ｂに表示させる機能を備えている。ただし、第２のメッセージ表示領域Ｂに表示すべきメッセージ情報については、設定画面画像が第２のメッセージ表示領域Ｂに表示されていないときのみ、表示される。
【００１４】
なお、ＰＣ２で作成されるメッセージ情報としては、会議の案内等のスケジュール情報、伝言情報、天気予報等がある。
【００１５】
図３は、ＰＣ２のユーザがＰＣ２上でメッセージ情報を作成して、ＰＣ２によって複写機１に送信させる場合の操作手順を示している。
【００１６】
まず、ＰＣ２のユーザは、メッセージ情報作成／送信プログラムを立ち上げる（ステップ１）。そして、複写機１に表示させるためのメッセージ情報をＰＣ２上で作成する（ステップ２）。次に、表示領域識別情報を入力する（ステップ３）。つまり、作成したメッセージ情報を第１のメッセージ表示領域Ａに表示させるか、第２のメッセージ表示領域Ｂに表示させるかを表す表示領域識別情報を入力する。この後、送信指令を入力する（ステップ４）。これにより、ＰＣ２上で作成されたメッセージ情報が、表示領域識別情報とともに複写機１に送信される。
【００１７】
図４は、複写機１によるメッセージ情報格納処理手順を示している。
【００１８】
メッセージ情報および表示領域識別情報を受信すると（ステップ１１）、受信したメッセージ情報および表示領域識別情報を一旦メモリ１６の作業エリアに格納する。そして、受信した表示領域識別情報が第１のメッセージ表示領域Ａを指定するものであるか、第２のメッセージ表示領域Ｂを指定するものであるかを判別する（ステップ１２）。
【００１９】
受信した表示領域識別情報が第１のメッセージ表示領域Ａを指定するものである場合には、受信したメッセージ情報をメモリ１６内の第１のメッセージ情報格納領域１６ａに格納する（ステップ１３）。この際、第１のメッセージ情報格納領域１６ａに既に他のメッセージ情報が格納されている場合には、第１のメッセージ情報格納領域１６ａの内容を今回受信したものに更新する。そして、今回のメッセージ情報格納処理を終了する。
【００２０】
受信した表示領域識別情報が第２のメッセージ表示領域Ｂを指定するものである場合には、受信したメッセージ情報をメモリ１６内の第２のメッセージ情報格納領域１６ｂに格納する（ステップ１４）。この際、第２のメッセージ情報格納領域１６ｂに既に他のメッセージ情報が格納されている場合には、第２のメッセージ情報格納領域１６ｂの内容を今回受信したものに更新する。そして、今回のメッセージ情報格納処理を終了する。
【００２１】
図５は、複写機１によるメッセージ情報表示処理手順を示している。
【００２２】
まず、第１のメッセージ情報格納領域１６ａにメッセージ情報が格納されているか否かを判別する（ステップ２１）。第１のメッセージ情報格納領域１６ａにメッセージ情報が格納されている場合には、そのメッセージ情報を表示器１３ａの第１のメッセージ表示領域Ａに表示し（ステップ２２）、ステップ２３に移行する。第１のメッセージ情報格納領域１６ａにメッセージ情報が格納されていない場合には、ステップ２３に移行する。
【００２３】
ステップ２３では、第２のメッセージ情報格納領域１６ｂにメッセージ情報が格納されているか否かを判別する。第２のメッセージ情報格納領域１６ｂにメッセージ情報が格納されている場合には、表示器１３ａの第２のメッセージ表示領域Ｂにメッセージ情報を表示することが可能か否かを判別する（ステップ２４）。つまり、第２のメッセージ表示領域Ｂに設定画面画像が表示されていないか否かを判別する。
【００２４】
第２のメッセージ表示領域Ｂにメッセージ情報を表示することが可能であると判別したときには、第２のメッセージ情報格納領域１６ｂ内のメッセージ情報を第２のメッセージ表示領域Ｂにメッセージ情報を表示した後（ステップ２５）、ステップ２７に移行する。
【００２５】
上記ステップ２４において、第２のメッセージ表示領域Ｂにメッセージ情報を表示することが不可能であると判別したときには、第２のメッセージ表示領域Ｂへのメッセージ情報の表示処理を停止した後（ステップ２６）、ステップ２７に移行する。
【００２６】
上記ステップ２３において、第２のメッセージ情報格納領域１６ｂにメッセージ情報が格納されていないと判別されたときには、ステップ２７に移行する。
【００２７】
ステップ２７では、複写機の電源がオフされたか否かを判別する。複写機の電源がオフされていないときには、ステップ２１に戻る。複写機の電源がオフされたときには、メッセージ情報表示処理を終了する。
【００２８】
【発明の効果】
この発明によれば、画像形成装置にネットワークを介して接続されたＰＣから、メッセージ情報を画像形成装置に与えることにより、そのメッセージ情報を画像形成装置の表示器に表示させることができるようになる。
【図面の簡単な説明】
【図１】複写機と複写機にＬＡＮを介して接続されたＰＣとを示すブロック図である。
【図２】タッチパネル付き表示器１３ａに表示される設定画面のうちの基本画面の例を示す模式図である。
【図３】ＰＣ２のユーザがＰＣ２上でメッセージ情報を作成して、ＰＣ２によって複写機１に送信させる場合の操作手順を示すフローチャートである。
【図４】複写機１によるメッセージ情報格納処理手順を示すフローチャートである。
【図５】複写機１によるメッセージ情報表示処理手順を示すフローチャートである。
【符号の説明】
１  複写機
２  ＰＣ
３  ＬＡＮ
【図１】
2004345161.tif 000003
【図２】
2004345161.tif 000004
【図３】
2004345161.tif 000005
【図４】
2004345161.tif 000006
【図５】
2004345161.tif 000007